(57)【特許請求の範囲】
【請求項１】
二種類のキャビネットを射出成形により製造する方法であって、
本体型と入れ子型によって、収納部の外側上端に照明取付部を有するキャビネットと、収納部の外側上端に照明取付部を有さないキャビネットを成形するとともに、
上端に照明取付部を有するキャビネットには、収納部の外側にある該照明取付部に照明を取り付け、
上端に照明取付部を有さないキャビネットには、その収納部内の上部部位に照明を取り付けることを特徴とする二種類のキャビネットの製造方法。
【請求項２】
前記照明取付部を有するキャビネットには、該照明取付部に横長照明を取り付け、
前記照明取付部を有さないキャビネットには、収納部内の上部部位の左右に一つずつ照明を取り付けることを特徴とする請求項１に記載の二種類のキャビネットの製造方法。
【発明の詳細な説明】
【技術分野】
【０００１】
本発明は、二種類のキャビネットを射出成形により製造する製造方法に関するものである。
【背景技術】
【０００２】
従来、特許文献１に開示されているように、照明ボックスをミラーキャビネット本体と分離し、照明ボックスをミラーキャビネット本体の天部あるいはサイド部に選択的にネジ止めして取り付けできるように構成したものが存在する。
【特許文献１】実開昭６４−２１６２８号公報
【発明の開示】
【発明が解決しようとする課題】
【０００３】
上記特許文献１に開示されている構造では、ミラーキャビネット本体とは別に照明ボックスを製造せねばならず、ミラーキャビネット本体と照明ボックスのそれぞれの製造型が必要となり、部品点数が増大し、コストが増大してしまうという問題点があった。
【課題を解決するための手段】
【０００４】
本発明は上記従来の問題点に鑑み案出したものであって、一種類の金型で、照明取付部を有するキャビネットと、有さないキャビネットを製造できて、コストを低減させることのできるキャビネットの製造方法を提供するものであり、その請求項１は、二種類のキャビネットを射出成形により製造する方法であって、
本体型と入れ子型によって、収納部の外側上端に照明取付部を有するキャビネットと、収納部の外側上端に照明取付部を有さないキャビネットを成形するとともに、
上端に照明取付部を有するキャビネットには、収納部の外側にある該照明取付部に照明を取り付け、
上端に照明取付部を有さないキャビネットには、その収納部内の上部部位に照明を取り付けることである。
【０００５】
また、請求項２は、前記照明取付部を有するキャビネットには、該照明取付部に横長照明を取り付け、前記照明取付部を有さないキャビネットには、収納部内の上部部位の左右に一つずつ照明を取り付けることである。
【発明の効果】
【０００６】
本発明は、本体型と入れ子型によって、収納部の外側上端に照明取付部を有するキャビネットと、収納部の外側上端に照明取付部を有さないキャビネットを成形するとともに、上端に照明取付部を有するキャビネットには、収納部の外側にある該照明取付部に照明を取り付け、上端に照明取付部を有さないキャビネットには、その収納部内の上部部位に照明を取り付けることにより、一つの本体型により照明取付部を有するキャビネットと、有さないキャビネットの二種類のキャビネットを製造することができ、コストを低減させることができて、照明取付部を有するキャビネットは高さが高く、一般的な現場に設置することができ、また照明取付部を有さないキャビネットは高さが低いために、天井の高さが低い現場等に良好に設置することができるものとなる。
【０００７】
また、前記照明取付部を有するキャビネットには、該照明取付部に横長照明を取り付け、前記照明取付部を有さないキャビネットには、収納部内の上部部位の左右に一つずつ照明を取り付けることにより、照明取付部を有するキャビネットには、一般的な横長の蛍光灯を設置することができ、また照明取付部を有さないキャビネットでは、収納部内部の上部部位の左右にそれぞれランプ状の照明を取り付けることができ、照明取付部を有さないキャビネットの中央部には縦長の鏡を設置することができるため、中央の鏡は高くでき、背の高い人でも良好に顔が見られるように設置することができるものとなる。
【実施例】
【０００８】
以下、本発明の実施例を図面に基づいて説明する。
図１は、照明取付部を有するキャビネットを製造する際の射出成形型の概略構成図であり、射出成形型は、内部に射出空間１ａを形成させた本体型１と、この本体型１に対し選択的に入れ替えて取り付けできる二種類の入れ子型２Ａ，２Ｂで構成されている。
照明取付部を有するキャビネットを製造するための入れ子型２Ａを本体型１に取り付けた図１では、本体型１の射出空間１ａと連通する射出空間２ａが形成されるものである。
入れ子型２Ａを本体型１に組み付けて、射出空間１ａ及び２ａ内に樹脂を射出して成形したミラーキャビネット３は、図３の側面図で示すように、上端に上方へ突出して照明取付部４が一体形成されるものである。
【０００９】
また、図２のように、入れ子型２Ｂを本体型１に組み付けた状態では、射出空間２ａが形成されないものであり、入れ子型２Ｂを本体型１に組み付けて製造されるミラーキャビネットは、図４の側面図で示すように、その上端に照明取付部４が存在しないものである。
このように、一種類の本体型１と、入れ子型２Ａあるいは２Ｂの何れかを用いて、図３あるいは図４の二種類のミラーキャビネット３をコストを低減させて製造することができるものである。
【００１０】
図３の上端に照明取付部４を有するミラーキャビネット３は、上面３ａの背側に上方へ突出して一体状に照明取付部４が形成されており、上面３ａと底面３ｂ間には、前方が開放された収納部Ｓ１，Ｓ２，Ｓ３が上下方向に形成され、裏側には、裏側へ開口する空間３ｄ，３ｄ，３ｄが各収納部Ｓ１，Ｓ２，Ｓ３間に形成されて、底面３ｂの底側にはスイッチボックス３ｅが形成されている。各収納部Ｓ１，Ｓ２，Ｓ３内には備品等を収納できるように、それぞれ底側にトレーが設けられるが、収納部Ｓ１，Ｓ２，Ｓ３にはトレーを嵌め込むための溝３ｃが形成されている。
この図３のスイッチボックス３ｅの下端から照明取付部４の上端までの高さ寸法は、９００ｍｍに設定されており、照明取付部４の部分の高さ寸法は１２０ｍｍに設定されている。
【００１１】
一方、図４の照明取付部を有さないミラーキャビネットは、スイッチボックス３ｅの下端から上面３ａまでの高さ寸法が７８０ｍｍに設定されており、上面３ａと底面３ｂ間には、図３のものと同様に、前方が開放された収納部Ｓ１，Ｓ２，Ｓ３が上下方向に形成されている。
【００１２】
この図３あるいは図４のミラーキャビネット３は、洗面器を備えた洗面台のバックガード上に立設されて壁面に取り付けられるものであるが、天井が高い現場等においては、図３に示す照明取付部４を有するミラーキャビネット３が設置されるものである。
また、現場の天井が低い場合等には、図４のミラーキャビネット３が設置されるものである。
【００１３】
図３の照明取付部４を有するミラーキャビネット３の照明取付部４に蛍光灯６を取り付けた側面図は図５に示し、また図６には正面図を示し、図７には平面図を示す。
照明取付部４の前面には、蛍光灯６を取り付けるためのソケット９，９が設けられ、このソケット９，９間に蛍光灯６が横長状に取り付けられるものである。また、蛍光灯６の上部側には反射板７が取り付けられ、蛍光灯６および反射板７の前面には照明カバー８が覆設されるものである。
【００１４】
なお、図６に示すように、各収納凹部Ｓ１，Ｓ２の底側にはトレー５，５が嵌め込まれ、ミラーキャビネット３の前面には、上面３ａから底面３ｂに至る高さの鏡１１が取り付けられるものである。
なお、スイッチボックス３ｅから横方向に延びる補強材１０が底面３ｂに取り付けられ、この補強材１０により強度が確保された状態で、補強材１０の下端が洗面台のバックガード上に当接状に立設されるものである。
【００１５】
一方、天井の低い現場において、図４のミラーキャビネット３を設置する際には、図８の側面図で、また図１０の正面図、図１１の平面図で示すように、ミラーキャビネット３内部の上面３ａ側の左右の収納部Ｓ１，Ｓ１内に、ブラケット１３，１３を固定し、固定したブラケット１３に対し蛍光球１７及び照明カバー１２を取り付けるのである。
【００１６】
即ち、図９の分解拡大図で示すように、収納部Ｓ１内の背面にネジ１４でブラケット１３を固定し、このブラケット１３の前面に絶縁プレート１５を介して照明ソケット１６を取り付け、この照明ソケット１６に着脱可能に蛍光球１７を取り付け、前面側から照明カバー１２を取り付けて、蛍光球１７を覆蓋することができるものである。
この照明カバー１２には、横長状の差込部１２ａが突出形成されており、収納部Ｓ１の側面に形成されているトレー５を差し込むための横長状の溝３ｃ内に、この差込部１２ａを前面側から差し込んで照明カバー１２を取り付けることができ、照明カバー１２は、その後端面が収納部Ｓ１の背面にほぼ当接状態となり、また、照明カバー１２の左右両側面が収納部Ｓ１の左右の側面に当接状態となり、また、照明カバー１２の底面が収納部Ｓ１の底面に当接状態となって、強固に照明カバー１２が取り付けられるものである。なお、照明カバー１２の前面は、前方側へ膨出する湾曲状に形成されている。
【００１７】
なお、図１２に裏面図を示すように、ミラーキャビネット３の裏面には、補強用のリブ３ｆ，３ｆが交差状に形成されており、このリブ３ｆの上部部位の、前記ネジ１４が締め付けられる位置には、ボス部Ｂ，Ｂが左右にそれぞれ形成されており、このボス部Ｂに良好にネジ１４を締め付けることができるように構成されている。
【００１８】
このように、照明取付部４を有さないミラーキャビネット３においては、ミラーキャビネット３内部の上部部位の左右の収納部Ｓ１，Ｓ１内に、それぞれ蛍光球１７を取り付けて照明器とすることができ、左右の収納部Ｓ１，Ｓ１間の中央部には、底面３ｂから上面３ａに至る高さ寸法の鏡１１を取り付けることができるため、鏡１１の高さは十分に確保することができて、ミラーキャビネット３が現場に設置された状態で、背の高い人でも良好に顔を鏡１１に映し出すことができるものとなる。
なお、蛍光球１７に電力を供給する配線１８は、図１２に示すように、裏面側でテープ１９で固定し、コンパクトに配線することができるものである。
【図面の簡単な説明】
【００１９】
【図１】照明取付部を有するキャビネットを製造する際の射出成形型の概略構成図である。
【図２】照明取付部を有さないキャビネットを製造する際の射出成形型の概略構成図である。
【図３】照明取付部を有するキャビネットの側面断面構成図である。
【図４】照明取付部を有さないキャビネットの側面断面構成図である。
【図５】照明取付部を有するキャビネットの照明取付部に蛍光灯を取り付けた状態の側面断面構成図である。
【図６】図５の正面構成図である。
【図７】図６の平面構成図である。
【図８】照明取付部を有さないキャビネット内の上部部位に照明器を取り付けた状態の側面断面構成図である。
【図９】図８の照明器の構成部材を分解して示す分解拡大側面構成図である。
【図１０】図８の正面構成図である。
【図１１】図１０の平面構成図である。
【図１２】図１０の裏面構成図である。
【符号の説明】
【００２０】
１  本体型
１ａ，２ａ  射出空間
２Ａ，２Ｂ  入れ子型
３  ミラーキャビネット
３ａ  上面
３ｂ  底面
３ｃ  溝
３ｄ  空間
３ｅ  スイッチボックス
４  照明取付部
５  トレー
６  蛍光灯
８  照明カバー
１０  補強材
１１  鏡
１２  照明カバー
１３  ブラケット
１４  ネジ
１６  照明ソケット
１７  蛍光球
Ｓ１，Ｓ２，Ｓ３  収納部
【図１】
0004827588.tif 000002
【図２】
0004827588.tif 000003
【図３】
0004827588.tif 000004
【図４】
0004827588.tif 000005
【図５】
0004827588.tif 000006
【図６】
0004827588.tif 000007
【図７】
0004827588.tif 000008
【図８】
0004827588.tif 000009
【図９】
0004827588.tif 000010
【図１０】
0004827588.tif 000011
【図１１】
0004827588.tif 000012
【図１２】
0004827588.tif 000013